(57)【要約】      （修正有）【課題】ウォータジャケット、エンジン外部のヒータ用循環路、第１、第２バイパス通路、大流量弁、小流量弁を有するエンジン冷却装置において、大流量弁を開弁させることによりヒータコアに冷却液が流通するときに流動音の発生を抑制または防止可能とする。【解決手段】ウォータジャケット２、エンジン１外部のヒータ用循環路３、第１、第２バイパス通路２１，２２、大流量弁２３、小流量弁２４を有するエンジン冷却装置において、大流量弁２３の開閉応答性が、小流量弁２４の開閉応答性よりも遅く設定されている。これにより、大流量弁２３を開弁開始させると、大流量弁２３の開度が比較的緩やかに漸増するようになるので、ウォータジャケット２からヒータ用循環路３へ流入する冷却液の流量が徐々に増えるようになる。そのため、ヒータコア１２に冷却液が流通するときに流動音が発生しにくくなる。【選択図】図１
2013019299.tif 000002
【特許請求の範囲】
【請求項１】
ヒータコアおよびウォータポンプが途中に設置されるヒータ用循環路と、エンジンのウォータジャケットの冷却液をラジエータを通してから前記ヒータ用循環路に流入させるためのラジエータ通路と、前記ヒータ用循環路から前記ウォータジャケットに冷却液を流入させるための還流路と、前記ウォータジャケットの冷却液を前記ラジエータをバイパスして前記ヒータ用循環路に流入させるための第１、第２バイパス通路と、前記第１バイパス通路に設置される大流量弁と、前記第２バイパス通路に設置される小流量弁とを備え、
前記大流量弁の開閉応答性が、前記小流量弁の開閉応答性よりも遅く設定されている、ことを特徴とするエンジン冷却装置。
【請求項２】
請求項１に記載のエンジン冷却装置において、
前記ラジエータ通路において前記ラジエータよりも下流側には、サーモスタットが設置され、
このサーモスタットは、前記ヒータ用循環路の冷却液温度がエンジン暖機完了温度以上のときに開弁して前記ウォータジャケットの冷却液を前記ラジエータ通路を経て前記ヒータ用循環路に流入させる状態にする、ことを特徴とするエンジン冷却装置。
【発明の詳細な説明】
【技術分野】
【０００１】
本発明は、エンジンのウォータジャケットから冷却液を取り出してラジエータで冷却してから前記ウォータジャケットに戻す形態、エンジンのウォータジャケットから冷却液を取り出してラジエータをバイパスしてヒータ用循環路に流入させてから前記ウォータジャケットに戻す形態、ヒータコアから大気放出される熱を車両室内に供給する形態を実行可能とする構成のエンジン冷却装置に関する。
【背景技術】
【０００２】
例えば特許文献１には、エンジンのウォータジャケットにヒータ用循環路（冷却水通路）を接続し、このヒータ用循環路に排気熱回収器、ヒータコアならびにウォータポンプを設置し、前記ヒータ用循環路にエンジンを迂回させる迂回通路を設け、さらにラジエータを設置したラジエータ通路を設けるようにした構成が記載されている。
【０００３】
また、エンジンのウォータジャケットの排出側とヒータ用循環路と迂回通路との合流部には三方弁が設置されている。この三方弁は、ウォータジャケットの冷却液流通を停止させて迂回通路とヒータ用循環路との間で冷却液を循環させるＣｏｌｄ時冷却水ルートを確保する他、迂回通路の冷却液流通を停止させてウォータジャケットとヒータ用循環路との間で冷却液を循環させるＨｏｔ時冷却水ルートを確保する。
【０００４】
さらに、ラジエータ通路とヒータ用循環路との接続部位には、サーモスタットが設置されている。このサーモスタットは、ヒータ用循環路を流通する冷却液の温度が高温になったときに開弁してウォータジャケットからラジエータ通路を経てヒータ用循環路へ冷却液を流通させる状態にする一方、ヒータ用循環路を流通する冷却液の温度が低温のときに閉弁してウォータジャケットからラジエータ通路を経てヒータ用循環路へ冷却液が流通することを停止させる状態にする。
【０００５】
この特許文献１の動作としては、エンジンの冷間始動時には三方弁で前記Ｃｏｌｄ時冷却水ルートを確保する。これにより、エンジンのウォータジャケットの冷却液流通が停止されるので、エンジンの暖機が促進されることになる。
【０００６】
そして、エンジンが暖機完了すると、サーモスタットが開弁するとともに、三方弁で前記Ｈｏｔ時冷却水ルートを確保する。これにより、ウォータジャケットからラジエータ通路へ冷却液が流通して冷却されるようになるとともに、この冷却液がヒータ用循環路からウォータジャケットへ還流されるようになるので、エンジンのオーバーヒートが防止される。
【０００７】
ところで、この特許文献１の場合には、エンジンの暖機中でも車両室内の暖房（ヒータ使用）を行えるようにしている。つまり、運転者により暖房が要求されると、迂回通路とヒータ用循環路との間で冷却液を循環させることにより排気熱回収器で回収した熱で冷却液を昇温させて、ヒータコアにヒータブロアで風を吹きつけることによりヒータコアから大気放出される熱風を車両室内に供給させる。
【０００８】
さらに、特許文献１の段落００７３−００７８に記載されているように、例えばエンジン暖機完了に伴いＣｏｌｄ時冷却水ルートからＨｏｔ時冷却水ルートに切り替える際に、暖房中でなければ即座にＨｏｔ時冷却水ルート切り替えるが、暖房中であればヒータコアに流入する冷却液温度の急変を抑制するために、三方弁を所定時間だけ中間温度モードにした後でＨｏｔ時冷却水ルートに切り替える。なお、前記中間温度モードとは、前記三方弁でウォータジャケットから排出される冷却液と迂回通路から流入される冷却液とを混合させる状態のことである。
【先行技術文献】
【特許文献】
【０００９】
【特許文献１】特開２００９−１５０２６６号公報
【発明の概要】
【発明が解決しようとする課題】
【００１０】
上記特許文献１は、Ｃｏｌｄ時冷却水ルートからＨｏｔ時冷却水ルートに切り替える際に、暖房中であれば、ヒータコア内の冷却液温度の急変を抑制するために、三方弁を所定時間だけ中間温度モードにした後でＨｏｔ時冷却水ルートに切り替えるようにしている。
【００１１】
しかしながら、上記特許文献１では、暖房中でなければ即座にＨｏｔ時冷却水ルートに切り替えるようにしているため、エンジンのウォータジャケットからヒータ用循環路に冷却液が急激に大量に流入するようになる。そのために、ヒータ用循環路に設置されているヒータコアに急激に大量の冷却液が流通するようになるので、比較的大きな流動音が発生する可能性が高くなる。通常、要求の冷却水ルートを可及的速やかに成立させるために、三方弁の切り替え速度が可及的に速くなるように設定されるので、前記のように冷却液の流量が急激に変化するのである。
【００１２】
このような事情に鑑み、本発明は、ウォータジャケットの冷却液を前記ラジエータをバイパスして前記ヒータ用循環路に流入させるための第１、第２バイパス通路と、前記第１バイパス通路に設置される大流量弁と、前記第２バイパス通路に設置される小流量弁とを備えるエンジン冷却装置において、前記大流量弁を開弁させることによりヒータコアに冷却液が流通するときに流動音の発生を抑制または防止可能とすることを目的としている。
【課題を解決するための手段】
【００１３】
本発明に係るエンジン冷却装置は、ヒータコアおよびウォータポンプが途中に設置されるヒータ用循環路と、エンジンのウォータジャケットの冷却液をラジエータを通してから前記ヒータ用循環路に流入させるためのラジエータ通路と、前記ヒータ用循環路から前記ウォータジャケットに冷却液を流入させるための還流路と、前記ウォータジャケットの冷却液を前記ラジエータをバイパスして前記ヒータ用循環路に流入させるための第１、第２バイパス通路と、前記第１バイパス通路に設置される大流量弁と、前記第２バイパス通路に設置される小流量弁とを備え、前記大流量弁の開閉応答性が、前記小流量弁の開閉応答性よりも遅く設定されている、ことを特徴としている。
【００１４】
この構成では、大流量弁を開弁開始させると、当該大流量弁の開度が開弁開始から比較的緩やかに漸増するようになるので、前記ウォータジャケットから前記第１バイパス通路を経て前記ヒータ用循環路に流入する冷却液の流量が開弁開始から徐々に増えるようになる。そのため、前記ヒータコアを流通する冷却液の流量が時間経過に伴い徐々に増えるようになるので、前記ヒータコアに冷却液が流通するときに流動音の発生が抑制または防止されるようになる。
【００１５】
好ましくは、前記ラジエータ通路において前記ラジエータよりも下流側には、サーモスタットが設置され、このサーモスタットは、前記ヒータ用循環路の冷却液温度がエンジン暖機完了温度以上のときに開弁して前記ウォータジャケットの冷却液を前記ラジエータ通路を経て前記ヒータ用循環路に流入させる状態にする。
【００１６】
この構成では、前記ヒータ用循環路の冷却液温度が前記エンジン暖機完了温度（サーモスタットの開弁温度）以上になると、前記サーモスタットが自動的に開弁することになる。これにより、前記ウォータジャケットの冷却液が前記ラジエータおよび前記ラジエータ通路を経て前記ヒータ用循環路に流入されるようになる。
【００１７】
なお、前記サーモスタットとは、自動車関連業界において温度感知型自動作動弁のことを意味している。このようなサーモスタットを用いる場合には、エンジン水温センサや制御系が不要となり、設備コストの無駄な上昇を抑制することが可能になる。
【発明の効果】
【００１８】
本発明は、ウォータジャケットの冷却液を前記ラジエータをバイパスして前記ヒータ用循環路に流入させるための第１、第２バイパス通路と、前記第１バイパス通路に設置される大流量弁と、前記第２バイパス通路に設置される小流量弁とを備えるエンジン冷却装置において、前記大流量弁を開弁させることによってヒータコアに冷却液が流通するときに流動音の発生を抑制または防止することが可能になる。
【図面の簡単な説明】
【００１９】
【図１】本発明に係るエンジン冷却装置の一実施形態の概略構成を示す図である。
【図２】図１のエンジン冷却装置の制御系の概略構成を説明するための図である。
【図３】図１においてエンジンの暖機完了後における冷却液流通経路を説明するための図である。
【図４】図１においてエンジンの暖機途中段階で小流量弁を開弁したときの冷却液流通経路を説明するための図である。
【図５】図１においてエンジンの暖機途中段階で大流量弁を開弁したときの冷却液流通経路を説明するための図である。
【図６】図５のように大流量弁を開弁開始してからのウォータジャケットの冷却液流量およびヒータ用循環路の冷却液流量の時間経過に伴う変化を示すグラフである。
【図７】本発明に係るエンジン冷却装置の他の例で、Ｅ／Ｇ＿ＥＣＵにおいて大流量弁の開弁要求に応答する制御を説明するためのフローチャートである。
【図８】図７のフローチャートに対応した動作説明に用いるグラフである。（ａ）は大流量弁の上流側領域の冷却液圧力と下流側領域の冷却液圧力との差の時間経過に伴う変化を示すグラフである。（ｂ）はヒータコアへの冷却液流量の時間経過に伴う変化を示すグラフである。
【発明を実施するための形態】
【００２０】
以下、本発明を実施するための最良の実施形態について添付図面を参照して詳細に説明する。
【００２１】
図１から図６に本発明の一実施形態を示している。図中、１はエンジンである。このエンジン１の内部にはウォータジャケット２が設けられている。
【００２２】
エンジン１の吸気通路には、エンジン１の吸入空気量を調整するためのスロットルバルブ６が設けられている。このスロットルバルブ６の開度を変更するためのスロットルモータ７の動作は、下記するエンジン用のエレクトロニックコントロールユニット（以下、Ｅ／Ｇ＿ＥＣＵとする）１００によって制御される。
【００２３】
このウォータジャケット２はシリンダブロックとシリンダヘッドとにそれぞれ設けられていて、それぞれの複数箇所が互いに連通されている。このウォータジャケット２の冷却液排出口２ａはシリンダヘッド側に、また、ウォータジャケット２の冷却液流入口２ｂはシリンダブロック側にそれぞれ設置されている。
【００２４】
エンジン１の外部には閉ループ状のヒータ用循環路３が設けられている。このヒータ用循環路３はエンジン１のウォータジャケット２にラジエータ通路４と還流路５とを介して接続されており、必要に応じてウォータジャケット２とヒータ用循環路３とで冷却液を循環させることが可能になっている。これらウォータジャケット２、ヒータ用循環路３、ラジエータ通路４、還流路５を流通する冷却液は、例えばエチレングリコールの水溶液などの不凍液とされる。
【００２５】
ヒータ用循環路３の途中には、ウォータポンプ１１、ヒータコア１２などが設置されている。
【００２６】
ウォータポンプ１１は、ヒータ用循環路３において還流路５寄りの位置に設置されている。このウォータポンプ１１は、ヒータ用循環路３においてラジエータ通路４との接続部から還流路５との接続部に至るまでの上流側領域３ａに設置されている。このウォータポンプ１１は、電動式とされていて、その動作はＥ／Ｇ＿ＥＣＵ１００により制御される。
【００２７】
ヒータコア１２は、ヒータ用循環路３を流通する冷却液と大気との間で熱交換するための熱交換器である。このヒータコア１２は、ヒータ用循環路３において還流路５との接続部からラジエータ通路４との接続部に至るまでの下流側領域３ｂに設置されている。このヒータコア１２から大気放出される熱は、ヒータブロア１３を作動させることによって車両室内に供給されることによって車両室内が暖房される。ヒータブロア１３の動作は、下記するエアコンディショナ用のエレクトロニックコントロールユニット（以下、Ａ／Ｃ＿ＥＣＵとする）２００により制御される。
【００２８】
ラジエータ通路４は、ウォータジャケット２の排出口２ａとヒータ用循環路３の下流側領域３ｂにおいてヒータコア１２よりも冷却液流通方向下流側とに接続されている。このラジエータ通路４の途中にはラジエータ１５が設置されている。ラジエータ１５は、ラジエータ通路４を流通する冷却液と大気との間で熱交換するための熱交換器である。このラジエータ通路４は、エンジン１のウォータジャケット２の冷却液をラジエータ１５に通してからヒータ用循環路３の下流側領域３ｂにおいてヒータコア１２よりも冷却液流通方向下流側に流入させるための流路である。
【００２９】
還流路５は、ウォータジャケット２の流入口２ｂとヒータ用循環路３においてウォータポンプ１１の冷却液流通方向下流側とに接続されている。この還流路５は、ヒータ用循環路３からウォータジャケット２の流入口２ｂに冷却液を流入させるための流路である。
【００３０】
さらに、ラジエータ通路４においてラジエータ１５よりも下流側には、サーモスタット１６が設置されている。このサーモスタット１６は、公知の構成であるので詳細に図示していないが、ヒータ用循環路３を流通する冷却液温度がエンジン暖機完了温度（例えば約８８℃）Ｔｈ未満のとき、サーモワックスが凝固収縮してワックス圧が低くなるので、弁体が自動的に閉側になってラジエータ通路４からヒータ用循環路３への冷却液流通を少なくするが、ヒータ用循環路３を流通する冷却液温度が前記エンジン暖機完了温度Ｔｈ以上になると、サーモワックスが溶融膨張されてワックス圧が高くなるので、前記弁体が自動的に全開になってラジエータ通路４からヒータ用循環路３への冷却液流通を許容する。
【００３１】
詳しくは、このサーモスタット１６は、ヒータ用循環路３を流通する前記エンジン暖機完了温度Ｔｈより低い所定温度（例えば約８２℃）未満になると全閉状態になり、当該所定温度を超えてから開き始め、前記エンジン暖機完了温度Ｔｈになると全開状態になる。このサーモスタット１６が全閉のときでも、ヒータ用循環路３のヒータコア１２からウォータポンプ１１へ冷却液が常に流通するようになっている。
【００３２】
さらに、ラジエータ通路４においてラジエータ１５よりも冷却液流通方向上流側と、ヒータ用循環路３の下流側領域３ｂとには、第１、第２バイパス通路２１，２２が並列に接続されている。詳しくは、第１、第２バイパス通路２１，２２の冷却液流通方向上流側は、それぞれラジエータ通路４においてラジエータ１５とエンジン１のウォータジャケット２の排出口２ａとの間の位置に接続されている。また、第１、第２バイパス通路２１，２２の冷却液流通方向下流側は、それぞれヒータ用循環路３の下流側領域３ｂにおいてヒータコア１２より冷却液流通方向上流側に接続されている。
【００３３】
第１、第２バイパス通路２１，２２は、エンジン１のウォータジャケット２の冷却液をラジエータ１５をバイパスしてヒータ用循環路３の下流側領域３ｂにおいてヒータコア１２よりも冷却液流通方向上流側に流入させるための流路である。
【００３４】
第１バイパス通路２１の途中には、大流量弁２３が設置されており、また、第２バイパス通路２２の途中には、小流量弁２４が設置されている。これら大流量弁２３および小流量弁２４は、この実施形態において常閉型の電磁弁とされており、Ｅ／Ｇ＿ＥＣＵ１００により開閉動作される。具体的に、Ｅ／Ｇ＿ＥＣＵ１００で大流量弁２３または小流量弁２４のソレノイドに通電すると開弁され、また、当該ソレノイドに対する通電を停止すると閉弁されるようになっている。
【００３５】
Ｅ／Ｇ＿ＥＣＵ１００は、例えばエンジン１の各種動作を制御するためのエンジン用のコントロールコンピュータと呼ばれる。このＥ／Ｇ＿ＥＣＵ１００は、詳細に図示していないが、共にＣＰＵ（中央処理装置）、ＲＯＭ（プログラムメモリ）、ＲＡＭ（データメモリ）、ならびにバックアップＲＡＭ（不揮発性メモリ）などを備える公知の構成とされる。
【００３６】
ＲＯＭは、各種制御プログラムや、それら各種制御プログラムを実行する際に参照されるマップなどが記憶されている。ＣＰＵは、ＲＯＭに記憶された各種制御プログラムやマップに基づいて演算処理を実行する。また、ＲＡＭは、ＣＰＵでの演算結果や各センサから入力されたデータ等を一時的に記憶するメモリであり、バックアップＲＡＭは、エンジン１の停止時にその保存すべきデータなどを記憶する不揮発性のメモリである。
【００３７】
Ｅ／Ｇ＿ＥＣＵ１００は、エンジン１の温度調節をするために、エンジン水温センサ３１およびヒータ水温センサ３２の各検出出力の入力に基づいて、電動式のウォータポンプ１１、大流量弁２３、小流量弁２４などの動作を制御する。エンジン水温センサ３１は、エンジン１のウォータジャケット２の排出口２ａ付近に設置されており、当該設置場所の冷却液温度（以下、単にウォータジャケット２の冷却液温度ｔｈｗ１とする）を検出する。また、ヒータ水温センサ３２は、ヒータ用循環路３においてヒータコア１２よりも冷却液流通方向上流側に設置されており、当該設置場所の冷却液温度（以下、単にヒータ用循環路３の冷却液温度ｔｈｗ２とする）を検出する。
【００３８】
Ａ／Ｃ＿ＥＣＵ２００は、例えば車両室内の空調動作を制御するためのエアーコンディショナ用のコントロールコンピュータと呼ばれる。このＡ／Ｃ＿ＥＣＵ２００は、詳細に図示していないが、Ｅ／Ｇ＿ＥＣＵ１００と同様、ＣＰＵ（中央処理装置）、ＲＯＭ（プログラムメモリ）、ＲＡＭ（データメモリ）、ならびにバックアップＲＡＭ（不揮発性メモリ）などを備える公知の構成とされる。
【００３９】
このＡ／Ｃ＿ＥＣＵ２００には、車両室内に設置されるヒータスイッチ４１および切替スイッチ４２の各出力信号が入力される。ヒータスイッチ４１は、暖房を実行または停止させるために運転者によりオン・オフ操作されるものである。また、切替スイッチ４２は、暖房能力の大（強）、小（弱）を切り替えるために運転者により押動操作されるものである。
【００４０】
そして、Ａ／Ｃ＿ＥＣＵ２００は、運転者によるヒータスイッチ４１のオン操作によって暖房の実行が要求されたときに、ヒータブロア１３を作動させるための信号をＥ／Ｇ＿ＥＣＵ１００に入力することにより、Ｅ／Ｇ＿ＥＣＵ１００によりヒータブロア１３を作動させるようにする。ヒータブロア１３が作動されると、ヒータコア１２から大気放出される熱が車両室内に供給されるようになる。また、Ａ／Ｃ＿ＥＣＵ２００は、運転者による切替スイッチ４２の押動操作によって暖房能力の切り替え処理の実行が要求されたときに、ヒータブロア１３の作動能力を制御するための信号をＥ／Ｇ＿ＥＣＵ１００に入力することにより、Ｅ／Ｇ＿ＥＣＵ１００によりヒータブロア１３の作動能力を要求に対応させるようにする。
【００４１】
ここで、エンジン１の冷間始動時の基本的な動作について説明する。
【００４２】
エンジン１が冷間始動された場合、つまりエンジン１の始動時においてサーモスタット１６の近傍の冷却液温度がエンジン暖機完了温度Ｔｈ未満である場合には、サーモスタット１６が閉じているので、エンジン１のウォータジャケット２の冷却液流通が停止する状態になる。これにより、エンジン１の燃焼室の熱によってエンジン１およびウォータジャケット２の冷却液が比較的早期に昇温することになる。
【００４３】
そうして、ヒータ用循環路３においてサーモスタット１６近傍の冷却液温度がエンジン暖機完了温度Ｔｈ以上になると、サーモスタット１６が全開になるので、図３の矢印で示すように、エンジン１のウォータジャケット２の冷却液がラジエータ通路４およびラジエータ１５を通ることで冷却されてからヒータ用循環路３に流入される。そして、ヒータ用循環路３を循環する冷却液の一部が還流路５を経てエンジン１のウォータジャケット２に戻される。このようにしてウォータジャケット２の冷却液温度ｔｈｗ１およびヒータ用循環路３の冷却液温度ｔｈｗ２が所定温度範囲に保たれるようになる。
【００４４】
ところで、エンジン１の暖機中において、大流量弁２３または小流量弁２４を開弁するとともに、電動式のウォータポンプ１１を適宜の能力で作動させることにより、図４または図５の矢印で示すように、第１バイパス通路２１または第２バイパス通路２２を経てウォータジャケット２とヒータ用循環路３との間で冷却液を循環させる処理の実行が要求されることがある。
【００４５】
この実施形態では、大流量弁２３の開閉応答性が小流量弁２４の開閉応答性よりも遅く設定されている。つまり、大流量弁２３の開弁速度ならびに閉弁速度が小流量弁２４の開弁速度ならびに閉弁速度よりも遅く設定されている。
【００４６】
具体的に、大流量弁２３は、開弁開始させてから全開になるまでの間、ソレノイドにより発生する弁体の吸引力（磁力）が比較的緩やかに漸増する仕様に設計されるとともに、閉弁開始から全閉（閉弁終了）になるまでの間、ソレノイドにより発生する弁体の吸引力（磁力）を比較的緩やかに漸減する仕様に設計される。大流量弁２３の開弁速度ならびに閉弁速度は、適宜の実験またはシミュレーションにより把握した固定値に設定される。
【００４７】
これにより、大流量弁２３は、開弁開始から全開（開弁終了）になるまでに要する時間、ならびに閉弁開始から全閉（閉弁終了）になるまでに要する時間が小流量弁２４の場合に比べて長く設定されている。
【００４８】
このような大流量弁２３を備える場合、大流量弁２３を開弁開始させると、当該大流量弁２３の開度が比較的緩やかに漸増するようになるので、ウォータジャケット２から第１バイパス通路２１を経てヒータ用循環路３に流入される冷却液の流量が開弁開始から徐々に増えるようになる。
【００４９】
そのため、図６に示すように、ウォータジャケット２を流通する冷却液の流量およびヒータ用循環路３を流通する冷却液の流量が時間経過に伴い従来例に比べて比較的緩やかに漸増するようになるので、結果的にヒータコア１２に冷却液が流通するときに流動音の発生を抑制または防止することが可能になる。
【００５０】
なお、本発明は、上記実施形態のみに限定されるものではなく、特許請求の範囲内および当該範囲と均等の範囲内で適宜に変更することが可能である。
【００５１】
（１）上記実施形態では、大流量弁２３の開閉応答性を小流量弁２４の開閉応答性よりも遅く設定するために、大流量弁２３の仕様そのものを設計するようにした例を挙げているが、本発明はこれに限定されず、例えば大流量弁２３を開閉応答性を制御系（Ｅ／Ｇ＿ＥＣＵ１００）により適宜に設定することが可能である。
【００５２】
具体的に、大流量弁２３を上記実施形態で説明したように常閉型の電磁弁とする場合には、制御系（Ｅ／Ｇ＿ＥＣＵ１００）によりソレノイドに対する通電時間または通電電流を適宜に設定することにより大流量弁２３の開閉応答性（開弁速度および閉弁速度）を小流量弁２４の開閉応答性（開弁速度および閉弁速度）よりも遅く設定することが可能である。
【００５３】
（２）図７および図８を参照して、本発明の他の例を説明する。この例では、大流量弁２３を開弁させてウォータジャケット２から第１バイパス通路２１を経てヒータ用循環路３に冷却液を流入させる処理の実行が要求されたときに、まず、小流量弁２４を開弁させてから大流量弁２３を開弁させるようにする。
【００５４】
具体的に、図７のフローチャートを参照して、Ｅ／Ｇ＿ＥＣＵ１００が前記大流量弁２３の開弁処理が要求されたときの制御形態を説明する。
【００５５】
Ｅ／Ｇ＿ＥＣＵ１００は、エンジン１の始動後において一定周期（数msec〜数十msec）毎に、図７のフローチャートをスタートする。まず、ステップＳ１１では、エンジン１の運転中に、大流量弁２３の開弁要求が有るか否かを判定する。
【００５６】
ここで、大流量弁２３の開弁要求が無い場合には、前記ステップＳ１１で否定判定して、このフローチャートを終了する。一方、大流量弁２３の開弁要求が有る場合には、前記ステップＳ１１で肯定判定して、続くステップＳ１２に移行する。
【００５７】
このステップＳ１２では、小流量弁２４を開弁するとともに、ウォータポンプ１１を適宜の能力で作動する。これにより、ウォータジャケット２から第２バイパス通路２２を経てヒータ用循環路３に冷却液が比較的少量ずつ流入するようになる。そのため、大流量弁２３の冷却液流通方向の上流側領域での冷却液圧力と下流側領域での冷却液圧力との差が低減し始めることになる。
【００５８】
この後、ステップＳ１３において、小流量弁２４を開弁してから所定時間が経過したか否かを判定する。この所定時間は、小流量弁２４の開弁によってウォータジャケット２からヒータ用循環路３へ冷却液が流動することに伴って前記上流側領域での冷却液圧力と下流側領域での冷却液圧力との差が十分に低減するまでに要する時間を実験あるいはシミュレーションで把握することにより適宜に設定される。
【００５９】
ここで、前記所定時間が経過するまでは、前記ステップＳ１３を繰り返すことにより経過するのを待つ。そして、前記所定時間が経過すると、前記ステップＳ１３で肯定判定して、続くステップＳ１４において、大流量弁２３を開弁する。
【００６０】
つまり、前記ステップＳ１２で小流量弁２４を開弁してから所定時間が経過することによって大流量弁２３の冷却液流通方向の上流側領域での冷却液圧力と下流側領域での冷却液圧力との差が低減することになる。これにより、前記ステップＳ１４で大流量弁２３を開弁したときにウォータジャケット２から第１バイパス通路２１を経てヒータ用循環路３に比較的大量の冷却液が流入するようになるものの、この冷却液の流動速度が比較的緩やかになって急激に速くならないので、ヒータコア１２に冷却液が流通するときに流動音が従来例に比べて発生しにくくなるのである。
【００６１】
この後、ステップＳ１５において、大流量弁２３を開弁してから所定時間が経過したか否かを判定する。この所定時間は、大流量弁２３の開弁によってウォータジャケット２からヒータ用循環路３への冷却液の流動速度が安定するまでに要する時間を実験あるいはシミュレーションで把握することにより適宜に設定される。
【００６２】
ここで、前記所定時間が経過するまでは、前記ステップＳ１５を繰り返すことにより経過するのを待つ。そして、前記所定時間が経過すると、前記ステップＳ１５で肯定判定して、続くステップＳ１６において、小流量弁２４を閉弁してから、このフローチャートを終了する。なお、前記ステップＳ１６は省略して、このフローチャートを省略するようにしてもよい。
【００６３】
以上説明したように、この例では、図８の（ａ），（ｂ）に示すように、大流量弁２３の開弁が要求されたときに、まず小流量弁２４を開弁させることによりウォータジャケット２から第２バイパス通路２２を経てヒータ用循環路３に比較的少量の冷却液を流入させるようにして大流量弁２３の冷却液流通方向の上流側領域での冷却液圧力と下流側領域での冷却液圧力との差を徐々に低減させるようにしておき、この圧力差をある程度低減させてから大流量弁２３を開弁させることによってウォータジャケット２から第１バイパス通路２１を経てヒータ用循環路３に冷却液を流入させるようにしている。
【００６４】
このように、ヒータコア１２に流通する冷却液の流量を段階的に増やすようにしているので、ヒータコア１２に冷却液が流通するときに流動音の発生を抑制または防止することが可能になる。
【００６５】
（３）上記実施形態に示すヒータ用循環路３に、図示していないが排気熱回収器を設置することが可能である。この排気熱回収器は、エンジン１から排出される排気ガスとヒータ用循環路３を流通する冷却液との間で熱交換するための熱交換器である。この排気熱回収器は、例えばヒータ用循環路３の下流側領域３ｂにおいてヒータコア１２よりも冷却液流通方向上流側（還流路５側）に設置することができる。
【００６６】
この構成では、ウォータジャケット２に冷却液を流通させずにヒータ用循環路３のみに冷却液を循環させる状態にすると、排気熱回収器で回収される熱によりヒータ用循環路３内の冷却液が昇温することになり、ヒータ用循環路３の暖機が行えるようになる。そのため、例えばエンジン１の冷間始動時において運転者により暖房が要求されたときに、速やかに暖房を実行することが可能になる。
【産業上の利用可能性】
【００６７】
本発明は、エンジンのウォータジャケットとエンジン外部のヒータ用循環路とを有するエンジン冷却装置に好適に利用することが可能である。
【符号の説明】
【００６８】
１      エンジン
２      ウォータジャケット
２ａ    ウォータジャケットの排出口
２ｂ    ウォータジャケットの流入口
３      ヒータ用循環路
３ａ    ヒータ用循環路の上流側領域
３ｂ    ヒータ用循環路の下流側領域
４      ラジエータ通路
５      還流路
１１      ウォータポンプ
１２      ヒータコア
１３      ヒータブロア
１５      ラジエータ
１６      サーモスタット
２１      第１バイパス通路
２２      第２バイパス通路
２３      大流量弁
２４      小流量弁
３１      エンジン水温センサ
３２      ヒータ水温センサ
４１      ヒータスイッチ
４２      切替スイッチ
１００      Ｅ／Ｇ＿ＥＣＵ
２００      Ａ／Ｃ＿ＥＣＵ
【図１】
2013019299.tif 000003
【図２】
2013019299.tif 000004
【図３】
2013019299.tif 000005
【図４】
2013019299.tif 000006
【図５】
2013019299.tif 000007
【図６】
2013019299.tif 000008
【図７】
2013019299.tif 000009
【図８】
2013019299.tif 000010